(57)【要約】      （修正有）【課題】ロック装置が一定範囲内で上下移動可能で、共面の効果を有する電気コネクタを提供する。【解決手段】電気コネクタは、絶縁本体、絶縁本体に挿入された複数の端子及び絶縁本体の両側にそれぞれ取付けられたロック装置を包含する。ロック装置は二つの係止部材と二つの固定部材を包含し、該係止部材は係止部を具え、係止部の上端の辺縁部分が外向き更に下向きに折り曲げられて係止片が形成され、係止片の中部に係合溝が開設されている。固定部材は係止部材に係合され、フック部、延伸部及びソルダー部を有し、フック部にフックが形成され、フック部の下端が内向き上向きに折り曲げられて当接片が形成され、当接片が係止部の下方に位置し、フック部が係止部と係止片の間に挟持され、フックが係合溝内に係合され、且つフックの下端と係合溝の下側に上下方向の移動間隙がある。【選択図】図５
0003160776.tif 000002
【実用新案登録請求の範囲】
【請求項１】
電気コネクタにおいて、
複数の端子溝が開設され、表面両側に係止溝が開設された絶縁本体と、
該絶縁本体の端子溝内に挿入された複数の端子と、
ロック装置であって、該ロック装置は該絶縁本体の両側の係止溝に取付けられ、二つの係止部材と二つの固定部材を包含し、該係止部材は係止部を具え、該係止部の後端が該係止溝内に係止され、該係止部の上端辺縁部分が外向き更に下向きに折り曲げられて係止片が形成され、該係止片の中部に係合溝が開設され、該固定部材はフック部、フック部の前側下端より前向きに延伸された延伸部及び該延伸部前端下端が内向きに水平に延伸されてなるソルダー部を具え、該フック部にフックが形成され、該フック部の下端中部が内向き上向きに折り曲げられて当接片が形成され、該当接片が該係止部の下方に位置し、該フック部が該係止部と該係止片の間に挟持され、該フックが該係合溝内に係合され、且つ該フックの下端と該係合溝の下側に上下方向の移動間隙がある、上記ロック装置と、
を包含したことを特徴とする、電気コネクタ。
【請求項２】
請求項１記載の電気コネクタにおいて、該係止部の下端辺縁に凹溝が開設され、該当接片は該凹溝内に収容され、該当接片の上端と該凹溝の上端との間に上下方向の移動間隙があることを特徴とする、電気コネクタ。
【請求項３】
請求項１記載の電気コネクタにおいて、該係止部の内側表面中部に前後に延伸されたリブが設けられたことを特徴とする、電気コネクタ。
【考案の詳細な説明】
【技術分野】
【０００１】
本考案は一種の電気コネクタに係り、特に両側にロック装置が設けられた電気コネクタに関する。
【背景技術】
【０００２】
図１及び図２を参照されたい。周知の電気コネクタ１００’は、絶縁本体１０’、複数の端子２０’、絶縁本体１０’の一側に取付けられた係止部材３０’及び二つのソルダー部材４０’を包含する。絶縁本体１０’には複数の端子溝１１’が開設され、絶縁本体１０’の前端両側にはそれぞれ保持溝１２’が開設されている。複数の端子２０’は複数の端子溝１１’中に挿入され、複数の端子２０’はそれぞれ回路板にはんだ付けされるソルダーピン２１’を有している。係止部材３０’は長板状の保持部３１’、保持部３１’のほぼ中部の上端縁より外向き更に下向きに折り曲げられて延伸されてなる係止ブロック３２’、係止ブロック３２’の下端前側縁が前向きに延伸されてなる延伸アーム３３’及び延伸アーム３３’の末端下縁が内向きに折り曲げられ延伸されてなる基板３４’を有し、基板３４’には溝３４１’が開設され、溝３４１’の外側溝縁より内向きに二つの弾性ストリップ３４２’が延伸されている。溝３４１’の内側溝縁は続いて延伸されて二つの滑り溝３４３’を形成している。ソルダー部材４０’は二つの、回路板にはんだ付け可能なソルダー板４１’と二つのソルダー板４１’に接続された係止部４２’を包含する。係止部材３０’の保持部３１’は保持溝１２’中に保持され、係止ブロック３２’は絶縁本体１０’の前端両側部分に圧接し、係止部材３０’は電子カードをしっかりと電気コネクタ１００’に保持し、左右に移動させない。ソルダー部材４０’の係止部４２’は溝３４１’中の二つの弾性ストリップ３４２’の間より、二つの弾性ストリップ３４２’を押し開いて滑り溝３４３’中に嵌入し、且つソルダー部材４０’は滑り溝３４３’中で上下左右に移動し、ソルダー板４１’が回路板にはんだ付けされた後、係止部材３０’が一定範囲内で上下移動或いは回転可能とされ、こうして構造が二つのソルダー部材４０’のソルダー板４１’と複数の端子２０’のソルダーピン２１’部分が同一平面上にあるものとされ、且つ電子カードを抜き差しする時に、電気コネクタ１００’上での反り返りにより複数の端子２０’のソルダーピン２１’のぐらつきを形成することがない。
【考案の概要】
【考案が解決しようとする課題】
【０００３】
しかし、周知の電気コネクタ１００’は弾性ストリップ３４２’、滑り溝３４３’及びソルダー部材４０’の係止部４２’の構造設計により、二つのソルダー部材４０’のソルダー板４１’と複数の端子２０’のソルダーピン２１’の共面を保証しているが、その構造は複雑で、製造しにくい。
【０００４】
本考案の目的は、上述の既存の技術の不足を克服し、一種の、共面効果を達成できる電気コネクタを提供することにある。
【課題を解決するための手段】
【０００５】
上述の目的を達成するため、本考案は一種の電気コネクタを提供し、それは、絶縁本体、絶縁本体に挿入された複数の端子及びロック装置を包含する。絶縁本体には複数の端子溝が開設され、絶縁本体の表面両側に係止溝が開設されている。複数の端子は端子溝内に挿入される。上述のロック装置は絶縁本体の両側の係止溝に取付けられ、二つの係止部材と二つの固定部材を包含する。該係止部材は係止部を具え、係止部の後端が係止溝内に係止され、係止部上端辺縁部分が外向き更に下向きに折り曲げられて係止片が形成され、係止片の中部に係合溝が開設されている。該固定部材はフック部、フック部の前側下端より前向きに延伸された延伸部及び該延伸部前端下端が内向きに水平に延伸されてなるソルダー部を具え、該フック部にフックが形成され、該フック部の下端中部が内向き上向きに折り曲げられて当接片が形成され、該当接片が該係止部の下方に位置し、該フック部が係止部と係止片の間に挟持され、該フックが該係合溝内に係合され、且つ該フックの下端と該係合溝の下側に上下方向の移動間隙がある。
【考案の効果】
【０００６】
本考案の電気コネクタは、フックの下端と係止溝の下端との間の間隙及び当接片の上端と凹溝の上端の間の間隙により、ロック装置が一定の範囲内で上下移動可能とされ、これ共面の効果を確保する。
【図面の簡単な説明】
【０００７】
【図１】周知の電気コネクタの立体図である。
【図２】周知の電気コネクタの立体分解図である。
【図３】本考案の電気コネクタの実施例の立体図である。
【図４】図３の電気コネクタの立体分解図である。
【図５】図３の電気コネクタの側面図である。
【考案を実施するための形態】
【０００８】
図３及び図４を参照されたい。本考案の電気コネクタ１００は、絶縁本体１０、複数の第１端子２０、複数の第２端子３０及び絶縁本体１０の両側にそれぞれ取付けられたロック装置を包含する。該ロック装置は二つの係止部材５０と二つの固定部材４０を包含する。
【０００９】
図４を参照されたい。絶縁本体１０の前表面には係止溝１１が開設されて電子カードの挿入に供される。絶縁本体１０の前表面下部に複数の、係止溝１１と連通する第１端子溝１２が設けられ、絶縁本体１０の前表面上部に後ろ向きに、複数の、係止溝１１と連通する第２端子溝１３が開設され、絶縁本体１０の前表面の係止溝１１の両側に、保持溝１４が開設されている。
【００１０】
上述の複数の第１端子２０は絶縁本体１０の複数の第１端子溝１２内に挿入され、上述の複数の第２端子３０は絶縁本体１０の複数の第２端子溝１３内に挿入され、複数の第１端子２０と複数の第２端子３０はそれぞれソルダーピン２１、３１を具えている。
【００１１】
上述の係止部材５０は、絶縁本体１０に固定され、それは、ストリップ状の係止部５１を具え、係止部５１の上端部分が外向き更に下向きに折り曲げられて延伸されて係止片５２が形成され、係止部５１の前端に挟持部５３が設けられ、挟持部５３は電子カードを安定して電気コネクタ１００に挿入させて左右にぐらつかせない。係止部５１内側表面中部に前後に延伸されたリブ５１１が設けられ、係止部５１の下端辺縁に凹溝５１２が開設され、係止片５２の中部に係合溝５２１が開設されている。
【００１２】
上述の固定部材４０は係止部材５０に係合され、それは直立板状のフック部４１と、該フック部４１の前端が前向きに延伸されてなる長板状の延伸部４２と、該延伸部４２の前端下端が折り曲げられ延伸された後に更に内向きに水平に延伸されてなるソルダー部４３を具えている。フック部４１には外側に向けてフック４１１がプレス加工で形成されている。フック部４１の下端中部に内向き上向きに折り曲げられ延伸されてなる当接片４１２が設けられている。
【００１３】
図３から図５を参照されたい。本考案の電気コネクタ１００を組み立てる時は、複数の第１端子２０と複数の第２端子３０のソルダーピン２１、３１が回路板にはんだ付けされる。係止部材５０の係止部５１後端が保持溝１４内に係止され、且つリブ５１１によりその保持力が強化される。固定部材４０のソルダー部４３は回路板にはんだ付けされる。固定部材４０のフック部４１は係止部材５０の係止部５１と係止片５２の間に係合され、フック４１１は係合溝５２１内に係合され、当接片４１２は係止部５１の下方に位置し、並びに凹溝５１２内に収容され、且つフック４１１の下端と係合溝５２１の下端には上下方向の移動間隙６０があり、当接片４１２の上端と凹溝５１２の上端にも上下方向の移動間隙６０があり、これにより、ロック装置が一定範囲内で上下移動可能とされる。
【００１４】
総合すると、本考案の電気コネクタ１００は、フック４１２の下端と係合溝５２１の下端の間の上下方向の移動間隙６０、及び、当接片４１２の上端と凹溝５１２の上端の間の上下方向の移動間隙６０により、ロック装置が一定範囲内で上下移動可能とされ、これにより、第１端子２０と第２端子３０のソルダーピン２１、３１と固定部材４０のソルダー部４３が共面の要求を達成し、その構造は簡単で、製造が容易である。
【符号の説明】
【００１５】
１００’  電気コネクタ          １０’  絶縁本体
１１’  端子溝                  １２’  保持溝
２０’  端子                    ２１’  ソルダーピン
３０’  係止部材                ３１’  保持部
３２’  係止ブロック            ３３’  延伸アーム
３４’  基板                    ３４１’  溝
３４２’  弾性ストリップ        ３４３’  滑り溝
４０’  ソルダー部材            ４１’  ソルダー板
４２’  係止部
１００  電気コネクタ            １０  絶縁本体
１１  係止溝                    １２  第１端子溝
１３  第２端子溝                １４  保持溝
２０  第１端子                  ２１  ソルダーピン
３０  第２端子                  ３１  ソルダーピン
４０  固定部材                  ４１  フック部
４１１  フック                  ４１２  当接片
４２  延伸部                    ４３  ソルダー部
５０  係止部材                  ５１  係止部
５１１  リブ                    ５１２  凹溝
５２  係止片                    ５２１  係合溝
５３  挟持部                    ６０  間隙
【図１】
0003160776.tif 000003
【図２】
0003160776.tif 000004
【図３】
0003160776.tif 000005
【図４】
0003160776.tif 000006
【図５】
0003160776.tif 000007